(57)【特許請求の範囲】
【請求項１】
基板と、
上記基板上に設けられた複数の駆動電極および複数の検出電極と、
上記駆動電極と上記検出電極との間に設けられた絶縁層と、を備えた静電容量タッチパネルであって、
上記駆動電極および上記検出電極より上層に設けられた保護層は、上記駆動電極と上記検出電極とが平面視で重なる領域を含む領域上または、同一平面上の隣接する上記駆動電極および上記検出電極の対と上記駆動電極および上記検出電極間の絶縁層を含む領域上に形成される複数の第１領域と、上記複数の第１領域間に形成される複数の第２領域とを備えており、
上記保護層は、上記保護層と接する液滴が上記第１領域および上記第２領域の何れか一方に留まるように設けられており、
上記第１領域および上記第２領域の何れか一方は、凹形状または凸形状に設けられていることを特徴とする静電容量タッチパネル。
【請求項２】
上記第１領域および上記第２領域の何れか一方が凹形状である場合、上記第１領域および上記第２領域の他方が撥水領域であり、
上記第１領域および上記第２領域の何れか一方が凸形状である場合、上記第１領域および上記第２領域の他方が親水領域であることを特徴とする請求項１に記載の静電容量タッチパネル。
【請求項３】
請求項１または２に記載の静電容量タッチパネルと、
上記複数の駆動電極に駆動信号を供給する駆動回路と、
上記複数の検出電極を介して、上記駆動信号の変化を読み出す検出回路と、を備えていることを特徴とする静電容量タッチパネル装置。
【請求項４】
上記複数の検出電極は、第１検出信号線に属する電極と、第２検出信号線に属する電極とで構成されており、
上記検出回路においては、上記第１検出信号線および上記第２検出信号線の一方を介して得られた上記駆動信号と、他方を介して得られた上記駆動信号との差を検出することを特徴とする請求項３に記載の静電容量タッチパネル装置。
【請求項５】
基板と、
上記基板上に設けられた複数の駆動電極および複数の検出電極と、
上記駆動電極と上記検出電極との間に設けられた絶縁層と、を備えた静電容量タッチパネルであって、
上記駆動電極および上記検出電極より上層に設けられた保護層は、上記駆動電極と上記検出電極とが平面視で重なる領域を含む領域上または、同一平面上の隣接する上記駆動電極および上記検出電極の対と上記駆動電極および上記検出電極間の絶縁層を含む領域上に形成される複数の第１領域と、上記複数の第１領域間に形成される複数の第２領域とを備えており、
上記保護層は、上記保護層と接する液滴が上記第１領域および上記第２領域の何れか一方に留まるように設けられており、
上記複数の駆動電極に駆動信号を供給する駆動回路と、
上記複数の検出電極を介して、上記駆動信号の変化を読み出す検出回路と、を備え、
上記複数の検出電極は、第１検出信号線に属する電極と、第２検出信号線に属する電極とで構成されており、
上記検出回路においては、上記第１検出信号線および上記第２検出信号線の一方を介して得られた上記駆動信号と、他方を介して得られた上記駆動信号との差を検出することを特徴とする静電容量タッチパネル装置。
【発明の詳細な説明】
【技術分野】
【０００１】
本発明は、静電容量タッチパネルおよび静電容量タッチパネル装置に関する。
【背景技術】
【０００２】
近年、静電容量タッチパネルを搭載した電化製品、例えば、スマートフォンやタブレットなどの普及に伴い、その用途が拡大され、洗濯機やＩＨ加熱調理器など水回りで使用される製品にも、静電容量タッチパネルを搭載することが増えている。また、従来のメカニカルキーに代わって一般電化製品にもデザイン性に優れる静電容量タッチキーパネル（静電容量タッチキーパネルとは、比較的単純な入力操作を想定した静電容量タッチパネルの一種類である）の採用が広がっている。
【０００３】
このような電化製品の使用環境を考慮すると、静電容量タッチパネルまたは、静電容量タッチキーパネルのタッチ面に、水滴が付着することは十分に想定される。
【０００４】
しかしながら、静電容量タッチパネルや静電容量タッチキーパネルの場合、静電容量の変化から接触の有無の検知を行うが、静電容量タッチパネルや静電容量タッチキーパネルのタッチ面に、人の指が接触した場合の静電容量の変化値と水が接触した場合の静電容量の変化値とは近く、静電容量の変化値のみから人の指が接触したのか、水が接触したのかを区別するのは困難であり、静電容量タッチパネルまたは、静電容量タッチキーパネルのタッチ面に、付着した水滴が、誤動作を引き起こす一つの原因となっている。
【０００５】
以下、図１５から図２１に基づいて、従来の静電容量タッチパネルの一種類である従来の静電容量タッチキーパネルを一例に挙げて、従来の静電容量タッチパネルの問題点について説明する。
【０００６】
図１５の（ａ）は、タッチ面１０１ａに、人の指５１の接触がない状態の従来の静電容量タッチキーパネル１００を示す図であり、図１５の（ｂ）は、人の指５１の接触がない状態の従来の静電容量タッチキーパネル１００から検出される駆動信号の変化、すなわち、静電容量の変化を説明するための図である。
【０００７】
図１５の（ａ）に図示されているように、静電容量タッチキーパネル１００は、基板２を備えており、基板２上には、隣接するセンス電極３ｃおよびセンス電極３ｃ’を含むセンス信号線を形成する層と、上記センス信号線を形成する層を覆うように形成された絶縁層５と、隣接するドライブ電極４ｅおよびドライブ電極４ｅ’を含むドライブ信号線を形成する層と、上記ドライブ信号線を形成する層を覆うように形成された保護層１０１と、が順に積層されている。
【０００８】
なお、図示してないが、センス信号線は、上下方向において、互いに分離されて複数本形成されており、ドライブ信号線は、左右方向において、互いに分離されて複数本形成されている。
【０００９】
なお、図１５の（ａ）において、センス電極３ｃとセンス電極３ｃ’とは、同一のセンス信号線に属する隣接する電極であり、ドライブ電極４ｅとドライブ電極４ｅ’とは、それぞれ隣接する異なるドライブ信号線に属する電極である。
【００１０】
そして、センス信号線とドライブ信号線とは複数個所で交差するが、その１箇所がセンス電極３ｃとドライブ電極４ｅとが平面視において重なる箇所であり、他の１箇所がセンス電極３ｃ’とドライブ電極４ｅ’とが平面視において重なる箇所であり、これらの２箇所は、同一のセンス信号線上において、隣接している箇所である。
【００１１】
図１５の（ｂ）に図示されているように、互いに分離されて形成され、かつ、互いに隣接するドライブ電極４ｅを含むドライブ信号線とドライブ電極４ｅ’を含むドライブ信号線とには、順次、Ｈｉｇｈ状態となる駆動信号が供給されるが、図１５の（ｂ）は、先にドライブ電極４ｅを含むドライブ信号線にＨｉｇｈ状態の駆動信号が供給された状態を示す。
【００１２】
センス電極３ｃとドライブ電極４ｅとが平面視において重なる箇所の上部のタッチ面１０１ａには、人の指５１の接触がない状態であるため、ドライブ電極４ｅを含むドライブ信号線に供給されたＨｉｇｈ状態の駆動信号は、変化が生じず、絶縁層５とセンス電極３ｃとを介して、センス電極３ｃを含むセンス信号線からそのまま出力される。
【００１３】
最終的に、センス電極３ｃとドライブ電極４ｅとが平面視において重なる箇所の上部のタッチ面１０１ａに、人の指５１の接触があるかないかは、センス電極３ｃを含むセンス信号線からの信号とセンス電極３ｃ’を含むセンス信号線からの信号とを足し合わせた信号の大きさと、ドライブ電極４ｅを含むドライブ信号線または、ドライブ電極４ｅ’を含むドライブ信号線に供給されたＨｉｇｈ状態の駆動信号の大きさとを比較することで決定することができる。すなわち、センス電極３ｃを含むセンス信号線からの信号とセンス電極３ｃ’を含むセンス信号線からの信号とを足し合わせた信号の大きさが、ドライブ電極４ｅを含むドライブ信号線または、ドライブ電極４ｅ’を含むドライブ信号線に供給されたＨｉｇｈ状態の駆動信号の大きさより小さい場合には、タッチ面１０１ａに、人の指５１の接触があったと判定することができ、センス電極３ｃを含むセンス信号線からの信号とセンス電極３ｃ’を含むセンス信号線からの信号とを足し合わせた信号の大きさが、ドライブ電極４ｅを含むドライブ信号線または、ドライブ電極４ｅ’を含むドライブ信号線に供給されたＨｉｇｈ状態の駆動信号の大きさと同じである場合には、タッチ面１０１ａに、人の指５１の接触がなかったと判定することができる。
【００１４】
その後、ドライブ電極４ｅ’を含むドライブ信号線に、Ｈｉｇｈ状態となる駆動信号を供給し、センス電極３ｃ’とドライブ電極４ｅ’とが平面視において重なる箇所の上部のタッチ面１０１ａにおける、人の指５１の接触の有無を検出することとなる。
【００１５】
図１６の（ａ）は、センス電極３ｃとドライブ電極４ｅとが平面視において重なる箇所の上部のタッチ面１０１ａに、人の指５１が接触した状態の従来の静電容量タッチキーパネル１００を示す図であり、図１６の（ｂ）は、人の指５１が接触した状態の従来の静電容量タッチキーパネル１００から検出される駆動信号の変化、すなわち、静電容量の変化を説明するための図である。
【００１６】
図１６の（ａ）に図示されているように、センス電極３ｃとドライブ電極４ｅとが平面視において重なる箇所の上部のタッチ面１０１ａに、人の指５１が接触した場合には、図１６の（ｂ）に図示したタッチによる仮想回路のように、センス電極３ｃ側に、人の指５１の接触によるグラウンドに対する容量の形成が生じることとなる。
【００１７】
したがって、ドライブ電極４ｅを含むドライブ信号線に供給されたＨｉｇｈ状態の駆動信号は、絶縁層５を介して、センス電極３ｃにそのまま出力されるが、センス電極３ｃを含むセンス信号線上に形成された上述したタッチによる仮想回路の影響で、Ｈｉｇｈ状態の駆動信号の一部がグラウンド側に逃げてしまうので、センス電極３ｃを含むセンス信号線から出力される駆動信号の大きさは、ドライブ電極４ｅを含むドライブ信号線に供給されたＨｉｇｈ状態の駆動信号の大きさより小さくなる。これにより、センス電極３ｃとドライブ電極４ｅとが平面視において重なる箇所の上部のタッチ面１０１ａに、人の指５１が接触したことを判定できる。
【００１８】
その後、ドライブ電極４ｅ’を含むドライブ信号線に、Ｈｉｇｈ状態となる駆動信号を供給し、センス電極３ｃ’とドライブ電極４ｅ’とが平面視において重なる箇所の上部のタッチ面１０１ａにおける、人の指５１の接触の有無を検出することとなる。
【００１９】
図１７の（ａ）は、センス電極３ｃ’とドライブ電極４ｅ’とが平面視において重なる箇所の上部のタッチ面１０１ａに、人の指５１が接触した状態の従来の静電容量タッチキーパネル１００を示す図であり、図１７の（ｂ）は、人の指５１が接触した状態の従来の静電容量タッチキーパネル１００から検出される駆動信号の変化、すなわち、静電容量の変化を説明するための図である。
【００２０】
図１７の（ａ）に図示されているように、センス電極３ｃ’とドライブ電極４ｅ’とが平面視において重なる箇所の上部のタッチ面１０１ａに、人の指５１が接触した場合には、図１７の（ｂ）に図示したタッチによる仮想回路のように、センス電極３ｃ’側に、人の指５１の接触によるグラウンドに対する容量の形成が生じることとなる。
【００２１】
センス電極３ｃ側には、タッチによる仮想回路は形成されないので、ドライブ電極４ｅを含むドライブ信号線に供給されたＨｉｇｈ状態の駆動信号は、変化が生じず、絶縁層５とセンス電極３ｃとを介して、センス電極３ｃを含むセンス信号線からそのまま出力される。したがって、センス電極３ｃとドライブ電極４ｅとが平面視において重なる箇所の上部のタッチ面１０１ａに、人の指５１の接触がないことを判定できる。
【００２２】
その後、ドライブ電極４ｅ’を含むドライブ信号線に、Ｈｉｇｈ状態となる駆動信号を供給し、実際に人の指５１の接触位置である、センス電極３ｃ’とドライブ電極４ｅ’とが平面視において重なる箇所の上部のタッチ面１０１ａにおける、人の指５１の接触の有無を検出することとなる。
【００２３】
図１８の（ａ）は、タッチ面１０１ａに、水滴５０が接触している状態の従来の静電容量タッチキーパネル１００を示す図であり、図１８の（ｂ）は、水滴５０が接触している状態の従来の静電容量タッチキーパネル１００から検出される駆動信号の変化、すなわち、静電容量の変化を説明するための図である。
【００２４】
図１８の（ａ）に図示されているように、水滴５０は、センス電極３ｃとドライブ電極４ｅとが平面視において重なる箇所の上部のタッチ面１０１ａとセンス電極３ｃ’とドライブ電極４ｅ’とが平面視において重なる箇所の上部のタッチ面１０１ａとに跨るように存在する。
【００２５】
このような場合には、図１８の（ｂ）に図示されているように、センス電極３ｃとセンス電極３ｃ’との間においては、水滴５０で仮想的に容量結合が形成されることとなる。
【００２６】
このような状況下で、ドライブ電極４ｅを含むドライブ信号線に供給されたＨｉｇｈ状態の駆動信号は、上述したセンス電極３ｃとセンス電極３ｃ’との間の水滴５０による仮想的に容量結合の影響で、センス電極３ｃを含むセンス信号線とセンス電極３ｃ’を含むセンス信号線とに、均等に２分割され、センス電極３ｃを含むセンス信号線およびセンス電極３ｃ’を含むセンス信号線の各々からの信号は、ドライブ電極４ｅを含むドライブ信号線に供給されたＨｉｇｈ状態の駆動信号より小さくなる。
【００２７】
しかし、この場合には、センス電極３ｃを含むセンス信号線からの信号とセンス電極３ｃ’を含むセンス信号線からの信号とを足し合わせた信号の大きさは、ドライブ電極４ｅを含むドライブ信号線に供給されたＨｉｇｈ状態の駆動信号の大きさと同じであるため、センス電極３ｃとドライブ電極４ｅとが平面視において重なる箇所の上部のタッチ面１０１ａに、人の指５１の接触がなかったと判定することができる。
【００２８】
その後、ドライブ電極４ｅ’を含むドライブ信号線に、Ｈｉｇｈ状態となる駆動信号を供給し、センス電極３ｃ’とドライブ電極４ｅ’とが平面視において重なる箇所の上部のタッチ面１０１ａにおける、人の指５１の接触の有無を検出することとなる。
【００２９】
以上のように、図１８の（ａ）に図示されているように、水滴５０が、センス電極３ｃとドライブ電極４ｅとが平面視において重なる箇所の上部のタッチ面１０１ａとセンス電極３ｃ’とドライブ電極４ｅ’とが平面視において重なる箇所の上部のタッチ面１０１ａとに跨るように存在するのみでは、特に、誤検出は生じない。
【００３０】
図１９の（ａ）は、タッチ面１０１ａに、水滴５０と人の指５１とが接触している状態の従来の静電容量タッチキーパネル１００を示す図であり、図１９の（ｂ）は、水滴５０と人の指５１とが接触している状態の従来の静電容量タッチキーパネル１００から検出される駆動信号の変化、すなわち、静電容量の変化を説明するための図である。
【００３１】
図１９の（ａ）に図示されているように、水滴５０は、センス電極３ｃとドライブ電極４ｅとが平面視において重なる箇所の上部のタッチ面１０１ａとセンス電極３ｃ’とドライブ電極４ｅ’とが平面視において重なる箇所の上部のタッチ面１０１ａとに跨るように存在するとともに、センス電極３ｃとドライブ電極４ｅとが平面視において重なる箇所の上部のタッチ面１０１ａに、人の指５１が接触している。
【００３２】
このような場合には、図１９の（ｂ）に図示したタッチによる仮想回路のように、センス電極３ｃ側に、人の指５１の接触によるグラウンドに対する容量の形成が生じることとなるとともに、図１９の（ｂ）に図示されているように、センス電極３ｃとセンス電極３ｃ’との間においては、水滴５０で仮想的に容量結合が形成されることとなる。
【００３３】
このような状況下で、ドライブ電極４ｅを含むドライブ信号線に供給されたＨｉｇｈ状態の駆動信号は、上述したセンス電極３ｃとセンス電極３ｃ’との間の水滴５０による仮想的に容量結合の影響で、センス電極３ｃを含むセンス信号線とセンス電極３ｃ’を含むセンス信号線とに、均等に２分割され、センス電極３ｃを含むセンス信号線およびセンス電極３ｃ’を含むセンス信号線の各々の信号は、ドライブ電極４ｅを含むドライブ信号線に供給されたＨｉｇｈ状態の駆動信号より小さくなる。
【００３４】
そして、均等に２分割されたセンス電極３ｃを含むセンス信号線の信号は、センス電極３ｃを含むセンス信号線上に形成された上述したタッチによる仮想回路の影響で、全体がグラウンド側に逃げてしまう。
【００３５】
この場合には、センス電極３ｃを含むセンス信号線からの信号とセンス電極３ｃ’を含むセンス信号線からの信号とを足し合わせた信号の大きさは、ドライブ電極４ｅを含むドライブ信号線に供給されたＨｉｇｈ状態の駆動信号の大きさより小さいので、センス電極３ｃとドライブ電極４ｅとが平面視において重なる箇所の上部のタッチ面１０１ａに、人の指５１の接触があったと判定することができ、特に、誤検出は生じない。
【００３６】
しかしながら、この後、ドライブ電極４ｅ’を含むドライブ信号線に、Ｈｉｇｈ状態となる駆動信号を供給し、センス電極３ｃ’とドライブ電極４ｅ’とが平面視において重なる箇所の上部のタッチ面１０１ａにおける、人の指５１の接触の有無を検出する際に、誤検出は生じることとなる。
【００３７】
このような場合には、センス電極３ｃを含むセンス信号線からの信号とセンス電極３ｃ’を含むセンス信号線からの信号とを足し合わせた信号の大きさは、ドライブ電極４ｅ’を含むドライブ信号線に供給されたＨｉｇｈ状態の駆動信号の大きさより小さいので、センス電極３ｃ’とドライブ電極４ｅ’とが平面視において重なる箇所の上部のタッチ面１０１ａに、人の指５１の接触があったと判定することとなるが、実際、センス電極３ｃ’とドライブ電極４ｅ’とが平面視において重なる箇所の上部のタッチ面１０１ａに、人の指５１の接触はないので、誤検出が生じることとなる。
【００３８】
図２０の（ａ）は、タッチ面１０１ａに、水滴５０と人の指５１とが接触している状態の従来の静電容量タッチキーパネル１００を示す図であり、図２０の（ｂ）は、水滴５０と人の指５１とが接触している状態の従来の静電容量タッチキーパネル１００から検出される駆動信号の変化、すなわち、静電容量の変化を説明するための図である。
【００３９】
図２０の（ａ）に図示されているように、水滴５０は、センス電極３ｃとドライブ電極４ｅとが平面視において重なる箇所の上部のタッチ面１０１ａとセンス電極３ｃ’とドライブ電極４ｅ’とが平面視において重なる箇所の上部のタッチ面１０１ａとに跨るように存在するとともに、センス電極３ｃ’とドライブ電極４ｅ’とが平面視において重なる箇所の上部のタッチ面１０１ａに、人の指５１が接触している。
【００４０】
このような場合には、図２０の（ｂ）に図示したタッチによる仮想回路のように、センス電極３ｃ’側に、人の指５１の接触によるグラウンドに対する容量の形成が生じることとなるとともに、図２０の（ｂ）に図示されているように、センス電極３ｃとセンス電極３ｃ’との間においては、水滴５０で仮想的に容量結合が形成されることとなる。
【００４１】
このような状況下で、ドライブ電極４ｅを含むドライブ信号線に供給されたＨｉｇｈ状態の駆動信号は、上述したセンス電極３ｃとセンス電極３ｃ’との間の水滴５０による仮想的に容量結合の影響で、センス電極３ｃを含むセンス信号線とセンス電極３ｃ’を含むセンス信号線とに、均等に２分割され、センス電極３ｃを含むセンス信号線およびセンス電極３ｃ’を含むセンス信号線の各々の信号は、ドライブ電極４ｅを含むドライブ信号線に供給されたＨｉｇｈ状態の駆動信号より小さくなる。
【００４２】
そして、均等に２分割されたセンス電極３ｃ’を含むセンス信号線の信号は、センス電極３ｃ’を含むセンス信号線上に形成された上述したタッチによる仮想回路の影響で、全体がグラウンド側に逃げてしまう。
【００４３】
このような場合には、センス電極３ｃを含むセンス信号線からの信号とセンス電極３ｃ’を含むセンス信号線からの信号とを足し合わせた信号の大きさは、ドライブ電極４ｅを含むドライブ信号線に供給されたＨｉｇｈ状態の駆動信号の大きさより小さいので、センス電極３ｃとドライブ電極４ｅとが平面視において重なる箇所の上部のタッチ面１０１ａに、人の指５１の接触があったと判定することとなるが、実際、センス電極３ｃとドライブ電極４ｅとが平面視において重なる箇所の上部のタッチ面１０１ａに、人の指５１の接触はないので、誤検出が生じることとなる。
【００４４】
上述したように、従来の静電容量タッチキーパネル１００においては、タッチ面１０１ａに、水滴５０が、センス電極３ｃとドライブ電極４ｅとが平面視において重なる箇所の上部のタッチ面１０１ａとセンス電極３ｃ’とドライブ電極４ｅ’とが平面視において重なる箇所の上部のタッチ面１０１ａとに跨るように付着している場合、誤検出が生じるという問題がある。
【００４５】
しかし、上述のような問題は、同一のセンス信号線に属する隣接する電極間での容量結合に起因する場合に限らず、同一のドライブ信号線に属する隣接する電極間での容量結合が形成される場合でも同様に生じる。
【００４６】
図２１の（ａ）は、同一のドライブ信号線に属する隣接するドライブ電極４ｅ・４ｅ’’に跨って水滴５０が存在する場合に、タッチ面１０１ａに、水滴５０と人の指５１とが接触している状態の従来のタッチキーパネル１００を示す図であり、図２１の（ｂ）は水滴５０と人の指５１とが接触している状態の従来の静電容量タッチキーパネル１００から検出される駆動信号の変化、すなわち、静電容量の変化を説明するための図である。
【００４７】
ドライブ電極４ｅとドライブ電極４ｅ’’とは、同一のドライブ信号線に属する隣接する電極であり、センス電極３ｃとセンス電極３ｃ’’とは、それぞれ隣接する異なるセンス信号線に属する電極である。
【００４８】
図２１の（ａ）に図示されているように、水滴５０は、センス電極３ｃとドライブ電極４ｅとが平面視において重なる箇所の上部のタッチ面１０１ａとセンス電極３ｃ’’とドライブ電極４ｅ’’とが平面視において重なる箇所の上部のタッチ面１０１ａとに跨るように存在するとともに、センス電極３ｃ’’とドライブ電極４ｅ’’とが平面視において重なる箇所の上部のタッチ面１０１ａに、人の指５１が接触している。
【００４９】
このような場合には、図２１の（ｂ）に図示したタッチによる仮想回路のように、センス電極３ｃ’’側に、人の指５１の接触によるグラウンドに対する容量の形成が生じることとなるとともに、図２１の（ｂ）に図示されているように、センス電極３ｃとセンス電極３ｃ’’との間においては、水滴５０で仮想的に容量結合が形成されることとなる。
【００５０】
このような状況下で、ドライブ電極４ｅとドライブ電極４ｅ’’を含むドライブ信号線に供給されたＨｉｇｈ状態の駆動信号は、絶縁層５を介して、センス電極３ｃとセンス電極３ｃ’’にそのまま出力されるが、センス電極３ｃ’’側の指５１のタッチによる仮想回路の影響で、Ｈｉｇｈ状態の駆動信号の一部がグラウンド側に逃げる。
【００５１】
このとき、上述したセンス電極３ｃとセンス電極３ｃ’’との間の水滴５０による仮想的に容量結合の影響で、センス電極３ｃ側の信号と一部がグラウンド側へ逃げたセンス電極３ｃ’’側の信号が平滑化される。
【００５２】
そのため、センス電極３ｃを含むセンス信号線から得られる信号とセンス電極３ｃ’’を含むセンス信号線から得られる信号との両方が、ドライブ電極４ｅとドライブ電極４ｅ’’を含むドライブ信号線に供給されたＨｉｇｈ状態の駆動信号より小さくなる。
【００５３】
したがって、センス電極３ｃとドライブ電極４ｅとが平面視において重なる箇所の上部のタッチ面１０１ａに、人の指５１が接触してないにも関わらず、この部分に接触があったと誤検出が生じることとなる。
【００５４】
以上のように、従来の静電容量タッチキーパネル１００においては、タッチ面１０１ａに、水滴５０が、複数の隣接する電極に跨るように付着している場合、誤検出が生じるという問題があった。
【００５５】
このような問題点を改善するため、特許文献１には、静電容量タッチパネルのタッチ面に付着した水滴を識別するために、電荷の変化量分布を求めることにより、水滴が存在している位置を識別し、静電容量タッチパネルの誤検出を抑制することについて記載されている。
【００５６】
また、特許文献２には、駆動信号として、正弦波信号（sin波信号）を用いることで、静電容量タッチパネルのタッチ面に、水滴がある場合と、人の指が接触している場合とにおける誘電率の変化する極性が逆方向であることを利用し、水滴が存在している位置を識別し、静電容量タッチパネルの誤検出を抑制することについて記載されている。
【先行技術文献】
【特許文献】
【００５７】
【特許文献１】特開２０１２−８８８９９号公報（２０１２年５月１０日公開）
【特許文献２】特開２０１４−１２６３６５号公報（２０１４年７月７日公開）
【発明の概要】
【発明が解決しようとする課題】
【００５８】
しかしながら、特許文献１に記載された技術は、センス電極とドライブ電極とが平面視において重なる箇所毎に、水滴の分布を求めるものであるため、センス電極とドライブ電極とが高精細に形成されている静電容量タッチパネルにおいては、誤検出を抑制する効果が得られるが、センス電極とドライブ電極とが所定の密度以下で形成された、低精細な静電容量タッチパネルや静電容量タッチキーパネルにおいては、センス電極とドライブ電極とが平面視において重なる箇所に、水滴の境界が現れる可能性も大きく、正確な水滴の分布が得られず、水滴が存在する位置を正確に検知できないので、誤検出を抑制することが困難である。
【００５９】
また、特許文献２には、センス電極とドライブ電極とが平面視において重なる隣接する複数箇所に跨って水滴が付着した場合の、判定手段について記載されている。しかし、このような場合、隣接するセンス電極間には、水の誘電率８０を介して、仮想的に容量結合（図１８の（ｂ）、図１９の（ｂ）および図２０の（ｂ）参照）が生じることとなる。このような仮想的に容量結合が生じると、駆動信号である正弦波は、距離に依存した大きさの変化を伴わずに伝わることとなるので、信号の大きさから、距離の違いを見分けることはできない。したがって、水滴のサイズが大きく、センス電極とドライブ電極とが平面視において重なる隣接する複数箇所に跨って付着している場合には、水滴が存在する位置を正確に検知できないので、誤検出を抑制することが困難である。
【００６０】
本発明は、上記の問題点に鑑みてなされたものであり、その目的は、検出電極（センス電極）および駆動電極（ドライブ電極）の形成密度やタッチ面に付着される液滴のサイズに関係なく、精度高く、タッチの検出を行うことができる静電容量タッチパネルを提供することにある。
【課題を解決するための手段】
【００６１】
本発明の静電容量タッチパネルは、上記の課題を解決するために、基板と、上記基板上に設けられた複数の駆動電極および複数の検出電極と、上記駆動電極と上記検出電極との間に設けられた絶縁層と、を備えた静電容量タッチパネルであって、上記駆動電極および上記検出電極より上層に設けられた保護層は、上記駆動電極と上記検出電極とが平面視で重なる領域を含む領域上または、同一平面上の隣接する上記駆動電極および上記検出電極の対と上記駆動電極および上記検出電極間の絶縁層を含む領域上に形成される複数の第１領域と、上記複数の第１領域間に形成される複数の第２領域とを備えており、上記保護層は、上記保護層と接する液滴が上記第１領域および上記第２領域の何れか一方に留まるように設けられていることを特徴としている。
【００６２】
上記構成によれば、上記保護層と接する液滴は、上記保護層の上記第１領域および上記第２領域の何れか一方に留まるので、上記保護層と接する液滴のサイズが大きい場合でも、液滴が上記保護層の複数の第１領域間に跨って存在することはない。なお、上記保護層と接する液滴が、上記保護層の上記第１領域および上記第２領域の何れか一方に留まるとは、液滴が上記第１領域に留まっている場合、液滴が上記第２領域に留まっている場合および複数の液滴が上記第１領域と上記第２領域とのそれぞれに留まっている場合を含む。
【００６３】
また、上記構成によれば、上記保護層と接する液滴が、上記保護層の複数の第１領域間に跨って存在することがないので、液滴の存在する位置を検出する必要がないので、上記駆動電極および上記検出電極が所定の密度以上で形成される必要もない。
【００６４】
したがって、検出電極および駆動電極の形成密度やタッチ面に付着される液滴のサイズに関係なく、精度高く、タッチの検出を行うことができる静電容量タッチパネルを実現することができる。
【発明の効果】
【００６５】
本発明の一態様によれば、検出電極および駆動電極の形成密度やタッチ面に付着される液滴のサイズに関係なく、精度高く、タッチの検出を行うことができる静電容量タッチパネルを提供することができる。
【図面の簡単な説明】
【００６６】
【図１】本発明の実施形態１に係る静電容量タッチキーパネルの重要部の概略構成を示す図である。
【図２】図１に図示した静電容量タッチキーパネルにおいて、センス電極とドライブ電極とが平面視において重なる箇所と、凸部とを示す図である。
【図３】図１に図示した静電容量タッチキーパネルと、センス回路と、ドライブ回路とを備えた静電容量タッチキー装置の概略構成を示す図である。
【図４】（ａ）は、タッチ面に水滴が付着した図１に図示した静電容量タッチキーパネルを示す図であり、（ｂ）は、この状態の静電容量タッチキーパネルにおいて、人の指のタッチ位置がどのように検出されるかの一例を示す図である。
【図５】（ａ）は、タッチ面に水滴が付着した図１に図示した静電容量タッチキーパネルを示す図であり、（ｂ）は、この状態の静電容量タッチキーパネルにおいて、図４とは異なる人の指のタッチ位置がどのように検出されるかの一例を示す図である。
【図６】図１に図示した静電容量タッチキーパネルにおいて、用いることができる凸部の変形例を示す図である。
【図７】本発明の実施形態２に係る静電容量タッチキーパネルの概略構成を示す図である。
【図８】図７に図示した静電容量タッチキーパネルのタッチ面に水滴が付着した場合を示す図である。
【図９】図７に図示した静電容量タッチキーパネルにおいて、用いることができる凹部の変形例を示す図である。
【図１０】本発明の実施形態３に係る静電容量タッチキーパネルの概略構成を示す図である。
【図１１】図１０に図示した静電容量タッチキーパネルのタッチ面に水滴が付着した場合を示す図である。
【図１２】本発明の実施形態４に係る静電容量タッチキーパネルの概略構成を示す図である。
【図１３】図１２に図示した静電容量タッチキーパネルのタッチ面に水滴が付着した場合を示す図である。
【図１４】本発明の実施形態５に係る静電容量タッチキーパネルの概略構成を示す図である。
【図１５】（ａ）は、タッチ面に、人の指の接触がない状態の従来の静電容量タッチキーパネルを示す図であり、（ｂ）は、この状態の従来の静電容量タッチキーパネルから検出される駆動信号の変化を説明するための図である。
【図１６】（ａ）は、センス電極とドライブ電極とが平面視において重なる箇所の上部のタッチ面に、人の指が接触した状態の従来の静電容量タッチキーパネルを示す図であり、（ｂ）は、この状態の従来の静電容量タッチキーパネルから検出される駆動信号の変化を説明するための図である。
【図１７】（ａ）は、センス電極とドライブ電極とが平面視において重なる他の箇所の上部のタッチ面に、人の指が接触した状態の従来の静電容量タッチキーパネルを示す図であり、（ｂ）は、この状態の従来の静電容量タッチキーパネルから検出される駆動信号の変化を説明するための図である。
【図１８】（ａ）は、タッチ面に、水滴が接触している状態の従来の静電容量タッチキーパネルを示す図であり、（ｂ）は、この状態の従来の静電容量タッチキーパネルから検出される駆動信号の変化を説明するための図である。
【図１９】（ａ）は、タッチ面に、水滴と人の指とが接触している状態の従来の静電容量タッチキーパネルを示す図であり、（ｂ）は、この状態の従来の静電容量タッチキーパネルから検出される駆動信号の変化を説明するための図である。
【図２０】（ａ）は、タッチ面に、水滴と人の指とが接触している他の状態の従来の静電容量タッチキーパネルを示す図であり、（ｂ）は、この状態の従来の静電容量タッチキーパネルから検出される駆動信号の変化を説明するための図である。
【図２１】（ａ）は、タッチ面に、水滴と人の指とが接触している他の状態の従来の静電容量タッチキーパネルを示す図であり、（ｂ）は、この状態の従来の静電容量タッチキーパネルから検出される駆動信号の変化を説明するための図である。
【発明を実施するための形態】
【００６７】
本発明の実施形態について図１から図１４に基づいて説明すれば、次の通りである。以下、説明の便宜上、特定の実施形態にて説明した構成と同一の機能を有する構成については、同一の符号を付記し、その説明を省略する場合がある。
【００６８】
なお、以下の実施形態においては、静電容量タッチパネルの一種類である比較的単純な入力操作を想定した静電容量タッチキーパネルを一例に挙げて説明するが、これに限定されることはなく、静電容量タッチパネルであれば、センス電極およびドライブ電極の形成密度に関係なく、適用可能であることは勿論である。
【００６９】
また、以下の実施形態においては、液滴の種類として、水滴を一例に挙げて説明するが、これに限定されることはなく、例えば、水と同等な誘電率を有する液体の場合においても同様の効果が得られるのは、勿論である。
【００７０】
〔実施形態１〕
以下、本発明の実施の形態について、図１から図６に基づいて説明する。
【００７１】
（静電容量タッチキーパネル）
図１は、静電容量タッチキーパネル１の重要部の概略構成を示す図である。
【００７２】
図２は、静電容量タッチキーパネル１において、センス電極３ｃ・３ｃ’とドライブ電極４ｅ・４ｅ’とが平面視において重なる箇所と、凸部１０ｂとを示す図である。
【００７３】
図２に図示されているように、静電容量タッチキーパネル１は、基板２を備えており、基板２上には、隣接するセンス電極３ｃおよびセンス電極３ｃ’を含むセンス信号線を形成する層と、上記センス信号線を形成する層を覆うように形成された絶縁層５と、隣接するドライブ電極４ｅおよびドライブ電極４ｅ’を含むドライブ信号線を形成する層と、上記ドライブ信号線を形成する層を覆うように形成された保護層１０と、が順に積層されている。なお、静電容量タッチキーパネル１は、相互容量方式である。
【００７４】
（センス信号線・ドライブ信号線）
そして、図１に図示されているように、静電容量タッチキーパネル１には、センス信号線１〜２（３ａ・３ｂ）とドライブ信号線１〜４（４ａ・４ｂ・４ｃ・４ｄ）が備えられている。
【００７５】
センス信号線１〜２（３ａ・３ｂ）は、図中Ｙ方向において、互いに分離されて形成されており、ドライブ信号線１〜４（４ａ・４ｂ・４ｃ・４ｄ）は、図中Ｘ方向において、互いに分離されて４本形成されている。
【００７６】
本実施形態においては、８つのタッチキーを備えた静電容量タッチキーパネル１とするため、センス信号線３ａ・３ｂとドライブ信号線４ａ・４ｂ・４ｃ・４ｄが交差する箇所を８箇所とする目的で、２本のセンス信号線３ａ・３ｂと、４本のドライブ信号線４ａ・４ｂ・４ｃ・４ｄとを用いたが、これに限定されることはなく、必要とするタッチキーの数によって、形成されるセンス信号線の数とドライブ信号線の数とは、適宜変わることは言うまでもない。
【００７７】
また、本実施形態においては、２本のセンス信号線３ａ・３ｂを図中Ｙ方向において、所定間隔で形成しており、４本のドライブ信号線４ａ・４ｂ・４ｃ・４ｄを図中Ｘ方向において、所定間隔で形成しているが、２本のセンス信号線３ａ・３ｂを図中Ｘ方向において、所定間隔で形成し、４本のドライブ信号線４ａ・４ｂ・４ｃ・４ｄを図中Ｙ方向において、所定間隔で形成してもよい。
【００７８】
なお、本実施形態においては、２本のセンス信号線３ａ・３ｂは、図中Ｘ方向の一端面から取り出しており、４本のドライブ信号線４ａ・４ｂ・４ｃ・４ｄは、図中Ｙ方向の一端面から取り出しているが、これに限定されることはなく、２本のセンス信号線３ａ・３ｂと４本のドライブ信号線４ａ・４ｂ・４ｃ・４ｄとを、図中Ｘ方向の一端面および図中Ｙ方向の一端面の何れか一方から取り出してもよい。
【００７９】
センス信号線３ａ・３ｂは、配線部とセンス電極３ｃ・３ｃ’で構成されており、８つの凸部１０ｂの下部に形成される部分がセンス電極３ｃ・３ｃ’であり、それ以外の部分が配線部である。なお、センス電極３ｃ・３ｃ’は、配線部より図中Ｙ方向の幅が広く形成されている。
【００８０】
一方、ドライブ信号線４ａ・４ｂ・４ｃ・４ｄは、配線部とドライブ電極４ｅ・４ｅ’で構成されており、８つの凸部１０ｂの下部に形成される部分がドライブ電極４ｅ・４ｅ’であり、それ以外の部分が配線部である。なお、ドライブ電極４ｅ・４ｅ’は、配線部より図中Ｙ方向の幅が広く形成されている。
【００８１】
図２に図示されているように、凸部１０ｂの下部においては、センス電極３ｃとドライブ電極４ｅとが絶縁層５を介して、平面視において重なっており、隣接する凸部１０ｂの下部においても、センス電極３ｃ’とドライブ電極４ｅ’とが絶縁層５を介して、平面視において重なっている。
【００８２】
本実施形態においては、センス信号線３ａ・３ｂをドライブ信号線４ａ・４ｂ・４ｃ・４ｄより下層に設けた場合を例に挙げて説明したが、ドライブ信号線４ａ・４ｂ・４ｃ・４ｄをセンス信号線３ａ・３ｂより下層に設けてもよいのは勿論である。
【００８３】
なお、図２において、センス電極３ｃとセンス電極３ｃ’とは、センス信号線３ａおよびセンス信号線３ｂの何れか一方に属する電極であり、ドライブ電極４ｅとドライブ電極４ｅ’とは、それぞれ隣接する異なるドライブ信号線に属する電極である。
【００８４】
（保護層）
図１および図２に図示されているように、保護層１０は、センス電極３ｃ・３ｃ’とドライブ電極４ｅ・４ｅ’とが絶縁層５を介して、平面視で重なる領域を含む領域上に形成される第１領域Ｒ１と、第１領域Ｒ１間に形成される第２領域Ｒ２とを有する。
【００８５】
保護層１０の第１領域Ｒ１は、センス電極３ｃ・３ｃ’とドライブ電極４ｅ・４ｅ’とが絶縁層５を介して、平面視で重なる領域以上の大きさを有すればよく、本実施形態においては、保護層１０の第１領域Ｒ１の大きさは、センス電極３ｃ・３ｃ’とドライブ電極４ｅ・４ｅ’とが絶縁層５を介して、平面視で重なる領域の大きさより少し大きくしている。
【００８６】
本実施形態においては、保護層１０の第１領域Ｒ１は凸形状の凸部１０ｂで形成しており、保護層１０の第２領域Ｒ２は平坦に形成しており、保護層１０の第１領域Ｒ１と第２領域Ｒ２とを合わせた領域の表面がタッチ面１０ａを形成している。
【００８７】
なお、本実施形態においては、保護層１０の凸部１０ｂを半球形状に形成しており、保護層１０の凸部１０ｂを半球形状に形成するため、モールドを利用した転写工程を用いた。したがって、保護層１０として、ＵＶ硬化性樹脂を用いているとともに、保護層１０の第１領域Ｒ１に対応する半球形状と保護層１０の第２領域Ｒ２に対応する平坦部分とを有するＵＶ透過性モールドを用いた。ＵＶ透過性モールドをＵＶ硬化性樹脂に押し込んだ状態で、ＵＶ光を照射し、ＵＶ硬化性樹脂を硬化させた後に、ＵＶ透過性モールドを離すことにより、保護層１０を形成した。
【００８８】
また、保護層１０としては、ＵＶ硬化性樹脂の代わりに熱硬化性樹脂を用いてもよく、保護層１０の形成には、上記工程以外の形成工程を用いることもできるのは勿論である。
【００８９】
なお、凸部１０ｂの形状や凸部１０ｂが半球形状である場合の半径の大きさは、想定される水滴の量に応じて適宜変えることができるのは勿論である。
【００９０】
（静電容量タッチキー装置）
図３は、静電容量タッチキーパネル１と、センス回路２０と、ドライブ回路３０とを備えた静電容量タッチキー装置４０の概略構成を示す図である。
【００９１】
図示されているように、静電容量タッチキーパネル１においては、センス電極３ｃとドライブ電極４ｅとが絶縁層５を介して、重なっている部分において、静電容量６ａ・６ｂ・６ｃ・６ｄ・６ｅ・６ｆ・６ｇ・６ｈが形成される。
【００９２】
センス回路２０は、アンプ２１と、ＡＤコンバータ（ＡＤＣ）２２と、コンデンサ２３・２４とを備えている。アンプ２１の＋入力端子とアンプ２１の出力端子とは、コンデンサ２３を介して接続されており、アンプ２１の−入力端子とアンプ２１の出力端子とは、コンデンサ２４を介して接続されている。また、アンプ２１の出力端子は、ＡＤコンバータ（ＡＤＣ）２２に接続されている。そして、アンプ２１の＋入力端子には、センス電極３ｃを含むセンス信号線３ａが接続されており、アンプ２１の−入力端子には、センス電極３ｃを含むセンス信号線３ｂが接続されている。
【００９３】
ドライブ回路３０は、ドライブ電極４ｅを含むドライブ信号線４ａ・４ｂ・４ｃ・４ｄの各々に、４種類の異なる駆動信号を供給する。図示されているように、４種類の異なる駆動信号によって、ドライブ信号線４ａ・４ｂ・４ｃ・４ｄの１本ずつが順次選択され、選択されたドライブ信号線４ａ・４ｂ・４ｃ・４ｄには、Ｈｉｇｈ状態の駆動信号が所定期間供給されることとなる。
【００９４】
選択されたドライブ信号線４ａ・４ｂ・４ｃ・４ｄにＨｉｇｈ状態の駆動信号が供給されると、この駆動信号は、静電容量６ａ・６ｂ・６ｃ・６ｄ・６ｅ・６ｆ・６ｇ・６ｈを介して、センス信号線３ａ・３ｂに伝わるが、ユーザの指がタッチ面に接触した場合などには、センス信号線３ａ・３ｂから読み取れる信号の大きさは、ドライブ信号線４ａ・４ｂ・４ｃ・４ｄに供給されるＨｉｇｈ状態の駆動信号の大きさより小さくなる。
【００９５】
センス回路２０においては、センス信号線３ａ・３ｂからの信号をアンプ２１で増幅し、アンプ２１で増幅された信号の大きさをＡＤコンバータ（ＡＤＣ）２２で読み取るようになっている。
【００９６】
アンプ２１は、＋入力端子から入力された信号と、−入力端子から入力された信号とを差動で増幅する。すなわち、＋入力端子から入力された信号と−入力端子から入力された信号との差を、出力端子から増幅して出力する。これにより、アンプ２１の出力端子から出力される信号は、ユーザの指がタッチ面に接触した場合などに生じる、ドライブ信号線４ａ・４ｂ・４ｃ・４ｄに供給されるＨｉｇｈ状態の駆動信号の大きさからの変化量を示すこととなる。ＡＤコンバータ（ＡＤＣ）２２では、アンプ２１の出力端子から出力された信号をデジタルデータに変換し、図示していない判定部においては、このデジタルデータの値に基づいて、センス信号線３ａにおいてタッチがあったか、センス信号線３ｂにおいてタッチがあったか、何れにおいてもタッチがなかったかを判定することができる。
【００９７】
なお、ドライブ信号線４ａ・４ｂ・４ｃ・４ｄは、上述したように、順次駆動されることから、どのドライブ信号線上でタッチがあったかは、判定することができる。
【００９８】
（タッチ面に水滴が付着した場合のタッチ位置の検出）
図４の（ａ）は、タッチ面１０ａに水滴５０が付着した静電容量タッチキーパネル１を示す図であり、図４の（ｂ）は、この状態の静電容量タッチキーパネル１において、人の指５１のタッチ位置がどのように検出されるかの一例を示す図である。
【００９９】
図４の（ａ）において、センス電極３ｃとセンス電極３ｃ’とは、センス信号線３ａおよびセンス信号線３ｂの何れか一方に属する電極であり、ドライブ電極４ｅとドライブ電極４ｅ’とは、それぞれ隣接する異なるドライブ信号線に属する電極である。
【０１００】
そして、図示されているように、センス電極３ｃとドライブ電極４ｅとが平面視において重なる箇所およびセンス電極３ｃ’とドライブ電極４ｅ’とが平面視において重なる箇所のそれぞれの上部には、凸部１０ｂが形成されているので、保護層１０と接する水滴５０は、保護層１０の第２領域Ｒ２に留まる。
【０１０１】
したがって、静電容量タッチキーパネル１においては、センス電極３ｃとドライブ電極４ｅとが平面視において重なる箇所と、センス電極３ｃ’とドライブ電極４ｅ’とが平面視において重なる箇所とに跨って水滴５０が、形成されることはない。
【０１０２】
すなわち、図１に基づいて説明すれば、保護層１０と接する水滴５０は、保護層１０の第２領域Ｒ２にのみ留まる。したがって、従来のように、センス電極３ｃとセンス電極３ｃ’との間において、水滴５０で仮想的に容量結合が形成されることはない（図１８の（ｂ）、図１９の（ｂ）および図２０の（ｂ）参照）。
【０１０３】
図４の（ａ）に図示されているように、センス電極３ｃとドライブ電極４ｅとが平面視において重なる箇所の上部のタッチ面１０ａに、人の指５１が接触した場合には、図４の（ｂ）に図示したタッチによる仮想回路のように、センス電極３ｃ側に、人の指５１の接触によるグラウンドに対する容量の形成が生じることとなる。
【０１０４】
したがって、ドライブ電極４ｅを含むドライブ信号線に供給されたＨｉｇｈ状態の駆動信号は、絶縁層５を介して、センス電極３ｃにそのまま出力されるが、センス電極３ｃを含むセンス信号線上に形成された上述したタッチによる仮想回路の影響で、Ｈｉｇｈ状態の駆動信号の一部がグラウンド側に逃げてしまうので、センス電極３ｃを含むセンス信号線から出力される信号の大きさは、ドライブ電極４ｅを含むドライブ信号線に供給されたＨｉｇｈ状態の駆動信号の大きさより小さくなる。これにより、センス電極３ｃとドライブ電極４ｅとが平面視において重なる箇所の上部のタッチ面１０ａに、人の指５１が接触したことを判定できる。
【０１０５】
その後、ドライブ電極４ｅ’を含むドライブ信号線に、Ｈｉｇｈ状態となる駆動信号を供給し、センス電極３ｃ’とドライブ電極４ｅ’とが平面視において重なる箇所の上部のタッチ面１０ａにおける、人の指５１の接触の有無を検出することとなる。
【０１０６】
図５の（ａ）は、タッチ面１０ａに水滴５０が付着した静電容量タッチキーパネル１を示す図であり、図５の（ｂ）は、この状態の静電容量タッチキーパネル１において、図４とは異なる人の指５１のタッチ位置がどのように検出されるかの一例を示す図である。
【０１０７】
図５の（ａ）に図示されているように、センス電極３ｃ’とドライブ電極４ｅ’とが平面視において重なる箇所の上部のタッチ面１０ａに、人の指５１が接触した場合には、図５の（ｂ）に図示したタッチによる仮想回路のように、センス電極３ｃ’側に、人の指５１の接触によるグラウンドに対する容量の形成が生じることとなる。
【０１０８】
センス電極３ｃ側には、タッチによる仮想回路は形成されないので、ドライブ電極４ｅを含むドライブ信号線に供給されたＨｉｇｈ状態の駆動信号は、変化が生じず、絶縁層５とセンス電極３ｃとを介して、センス電極３ｃを含むセンス信号線からそのまま出力される。したがって、センス電極３ｃとドライブ電極４ｅとが平面視において重なる箇所の上部のタッチ面１０ａに、人の指５１の接触がないことを判定できる。
【０１０９】
その後、ドライブ電極４ｅ’を含むドライブ信号線に、Ｈｉｇｈ状態となる駆動信号を供給し、実際に人の指５１の接触位置である、センス電極３ｃ’とドライブ電極４ｅ’とが平面視において重なる箇所の上部のタッチ面１０ａにおける、人の指５１の接触の有無を検出することとなる。
【０１１０】
また、静電容量タッチキーパネル１によれば、同一のドライブ信号線に属する隣接するドライブ電極間にも水滴５０が跨って存在することはないので、図２１に基づいて、上述した問題点も生じない。
【０１１１】
以上のように、静電容量タッチキーパネル１においては、保護層１０と接する水滴５０は、保護層１０の第２領域Ｒ２に留まるので、保護層１０と接する水滴５０のサイズが大きい場合でも、保護層１０の複数の第１領域Ｒ１間に跨って存在することはない。また、保護層１０と接する水滴５０が、保護層１０の複数の第１領域Ｒ１間に跨って存在することがないので、水滴５０の存在する位置を検出する必要がないので、センス電極３ｃおよびドライブ電極４ｅが所定の密度以上で形成される必要もない。
【０１１２】
したがって、センス電極３ｃ・３ｃ’およびドライブ電極４ｅ・４ｅ’の形成密度やタッチ面１０ａに付着される水滴５０のサイズに関係なく、精度高く、タッチの検出を行うことができる静電容量タッチキーパネル１（静電容量タッチパネル）を実現することができる。
【０１１３】
（変形例）
図６は、静電容量タッチキーパネル１に用いることができる凸部の変形例を示す図である。
【０１１４】
図６の（ａ）に図示されている静電容量タッチキーパネル１ａにおける、保護層１１は、センス電極３ｃ・３ｃ’とドライブ電極４ｅ・４ｅ’とが絶縁層５を介して、平面視で重なる領域を含む領域上に形成される第１領域Ｒ１と、第１領域Ｒ１間に形成される第２領域Ｒ２とを有する。
【０１１５】
保護層１１の第１領域Ｒ１は、センス電極３ｃ・３ｃ’とドライブ電極４ｅ・４ｅ’とが絶縁層５を介して、平面視で重なる領域以上の大きさを有すればよく、静電容量タッチキーパネル１ａにおいては、保護層１１の第１領域Ｒ１の大きさは、センス電極３ｃ・３ｃ’とドライブ電極４ｅ・４ｅ’とが絶縁層５を介して、平面視で重なる領域の大きさより少し大きくしている。
【０１１６】
静電容量タッチキーパネル１ａにおいては、保護層１１の第１領域Ｒ１は凸形状の凸部１１ｂで形成しており、凸部１１ｂの表面は平坦に形成されている。そして、保護層１１の第２領域Ｒ２は、凸部１１ｂから連続するテーパ―部と平坦部とで構成されている。
【０１１７】
図６の（ｂ）に図示されている静電容量タッチキーパネル１ｂにおける、保護層１２は、センス電極３ｃ・３ｃ’とドライブ電極４ｅ・４ｅ’とが絶縁層５を介して、平面視で重なる領域を含む領域上に形成される第１領域Ｒ１と、第１領域Ｒ１間に形成される第２領域Ｒ２とを有する。
【０１１８】
保護層１２の第１領域Ｒ１は、センス電極３ｃ・３ｃ’とドライブ電極４ｅ・４ｅ’とが絶縁層５を介して、平面視で重なる領域以上の大きさを有すればよく、静電容量タッチキーパネル１ｂにおいては、保護層１２の第１領域Ｒ１の大きさは、センス電極３ｃ・３ｃ’とドライブ電極４ｅ・４ｅ’とが絶縁層５を介して、平面視で重なる領域の大きさより少し大きくしている。
【０１１９】
静電容量タッチキーパネル１ｂにおいては、保護層１２の第１領域Ｒ１は凸形状の凸部１２ｂで形成しており、凸部１２ｂの表面は平坦に形成されている。図６の（ａ）に図示されている静電容量タッチキーパネル１ａと異なる点は、保護層１２の第２領域Ｒ２に、テーパ―部がない点である。
【０１２０】
なお、保護層１１・１２は、上述した保護層１０と同一材料であってもよく、保護層としての機能を果たせるのであれば、異なる材料であってもよい。
【０１２１】
上述した静電容量タッチキーパネル１ａ・１ｂにおいては、水滴５０を第１領域Ｒ１と第２領域Ｒ２とのそれぞれに留まるようにできるので、保護層１０と接する水滴５０が、保護層１０の複数の第１領域Ｒ１間に跨って存在することがない。したがって、センス電極３ｃ・３ｃ’およびドライブ電極４ｅ・４ｅ’の形成密度やタッチ面１１ａ・１２ａに付着される液滴５０のサイズに関係なく、精度高く、タッチの検出を行うことができる。
【０１２２】
以上の変形例からもわかるように、保護層の凸部の形状や凸部の高さは、想定される水滴の量に応じて適宜変えることができ、保護層の凸部の形状は、例えば、立方体形状など、さまざまな形状を取り得る。
【０１２３】
〔実施形態２〕
次に、図７から図９に基づいて、本発明の実施形態２について説明する。本実施形態の静電容量タッチキーパネル１ｃにおいては、保護層６０の第１領域Ｒ１を凹形状の凹部６０ｂで形成している点において、実施形態１とは異なる。説明の便宜上、実施形態１の図面に示した部材と同じ機能を有する部材については、同じ符号を付し、その説明を省略する。
【０１２４】
図７は、静電容量タッチキーパネル１ｃの概略構成を示す図である。
【０１２５】
図示されているように、保護層６０は、センス電極３ｃ・３ｃ’とドライブ電極４ｅ・４ｅ’とが絶縁層５を介して、平面視で重なる領域を含む領域上に形成される第１領域Ｒ１と、第１領域Ｒ１間に形成される第２領域Ｒ２とを有する。
【０１２６】
保護層６０の第１領域Ｒ１は、センス電極３ｃ・３ｃ’とドライブ電極４ｅ・４ｅ’とが絶縁層５を介して、平面視で重なる領域以上の大きさを有すればよく、本実施形態においては、保護層６０の第１領域Ｒ１の大きさは、センス電極３ｃ・３ｃ’とドライブ電極４ｅ・４ｅ’とが絶縁層５を介して、平面視で重なる領域の大きさより少し大きくしている。
【０１２７】
本実施形態においては、保護層６０の第１領域Ｒ１は凹形状の凹部６０ｂで形成しており、保護層６０の第２領域Ｒ２は平坦に形成しており、保護層６０の第１領域Ｒ１と第２領域Ｒ２とを合わせた領域の表面がタッチ面６０ａを形成している。
【０１２８】
なお、本実施形態においては、保護層６０の凹部６０ｂを半球形状に形成しており、凹部６０ｂの形状や凹部６０ｂが半球形状である場合の半径の大きさは、想定される水滴の量に応じて適宜変えることができるのは勿論である。
【０１２９】
図８は、静電容量タッチキーパネル１ｃのタッチ面６０ａに水滴５０が付着した場合を示す図である。
【０１３０】
図示されているように、センス電極３ｃとドライブ電極４ｅとが平面視において重なる箇所およびセンス電極３ｃ’とドライブ電極４ｅ’とが平面視において重なる箇所のそれぞれの上部には、凹部６０ｂが形成されているので、保護層６０と接する水滴５０を、保護層６０の第１領域Ｒ１と第２領域Ｒ２とのそれぞれに留まるようにできるので、保護層６０と接する水滴５０が、保護層６０の複数の第１領域Ｒ１間に跨って存在することがない。
【０１３１】
すなわち、静電容量タッチキーパネル１ｃにおいては、センス電極３ｃとドライブ電極４ｅとが平面視において重なる箇所と、センス電極３ｃ’とドライブ電極４ｅ’とが平面視において重なる箇所とに跨って水滴５０が、形成されることはない。
【０１３２】
よって、センス電極３ｃ・３ｃ’およびドライブ電極４ｅ・４ｅ’の形成密度やタッチ面６０ａに付着される水滴５０のサイズに関係なく、精度高く、タッチの検出を行うことができる静電容量タッチキーパネル１ｃ（静電容量タッチパネル）を実現することができる。
【０１３３】
なお、保護層６０は、上述した保護層１０と同一材料であってもよく、保護層としての機能を果たせるのであれば、異なる材料であってもよい。
【０１３４】
（変形例）
図９は、静電容量タッチキーパネル１ｃに用いることができる凹部の変形例を示す図である。
【０１３５】
図９の（ａ）に図示されている静電容量タッチキーパネル１ｄにおける、保護層６１は、センス電極３ｃ・３ｃ’とドライブ電極４ｅ・４ｅ’とが絶縁層５を介して、平面視で重なる領域を含む領域上に形成される第１領域Ｒ１と、第１領域Ｒ１間に形成される第２領域Ｒ２とを有する。
【０１３６】
保護層６１の第１領域Ｒ１は、センス電極３ｃ・３ｃ’とドライブ電極４ｅ・４ｅ’とが絶縁層５を介して、平面視で重なる領域以上の大きさを有すればよく、静電容量タッチキーパネル１ｄにおいては、保護層６１の第１領域Ｒ１の大きさは、センス電極３ｃ・３ｃ’とドライブ電極４ｅ・４ｅ’とが絶縁層５を介して、平面視で重なる領域の大きさより少し大きくしている。
【０１３７】
静電容量タッチキーパネル１ｄにおいては、保護層６１の第１領域Ｒ１は、凹形状の凹部６１ｂで形成されており、具体的に、凹部６１ｂは、平坦部と、保護層６１の第２領域Ｒ２から連続するテーパ―部とで構成されている。そして、保護層６１の第２領域Ｒ２は、平坦に形成されている。
【０１３８】
図９の（ｂ）に図示されている静電容量タッチキーパネル１ｅにおける、保護層６２は、センス電極３ｃ・３ｃ’とドライブ電極４ｅ・４ｅ’とが絶縁層５を介して、平面視で重なる領域を含む領域上に形成される第１領域Ｒ１と、第１領域Ｒ１間に形成される第２領域Ｒ２とを有する。
【０１３９】
保護層６２の第１領域Ｒ１は、センス電極３ｃ・３ｃ’とドライブ電極４ｅ・４ｅ’とが絶縁層５を介して、平面視で重なる領域以上の大きさを有すればよく、静電容量タッチキーパネル１ｅにおいては、保護層６２の第１領域Ｒ１の大きさは、センス電極３ｃ・３ｃ’とドライブ電極４ｅ・４ｅ’とが絶縁層５を介して、平面視で重なる領域の大きさより少し大きくしている。
【０１４０】
静電容量タッチキーパネル１ｅにおいては、保護層６２の第１領域Ｒ１は、凹形状の凹部６２ｂで形成されており、凹部６２ｂの表面は平坦に形成されている。図９の（ａ）に図示されている静電容量タッチキーパネル１ｄと異なる点は、保護層６２の第１領域Ｒ１に、テーパ―部がない点である。
【０１４１】
なお、保護層６１・６２は、上述した保護層１０と同一材料であってもよく、保護層としての機能を果たせるのであれば、異なる材料であってもよい。
【０１４２】
上述した静電容量タッチキーパネル１ｄ・１ｅにおいては、水滴５０を第１領域Ｒ１と第２領域Ｒ２とのそれぞれに留まるようにできるので、保護層６１・６２と接する水滴５０が、保護層６１・６２の複数の第１領域Ｒ１間に跨って存在することがない。したがって、センス電極３ｃ・３ｃ’およびドライブ電極４ｅ・４ｅ’の形成密度やタッチ面６１ａ・６２ａに付着される液滴５０のサイズに関係なく、精度高く、タッチの検出を行うことができる。
【０１４３】
以上の変形例からもわかるように、保護層の凹部の形状や凹部の深さは、想定される水滴の量に応じて適宜変えることができる。
【０１４４】
なお、タッチの検出方法は、実施形態１と同様であるため、ここでの説明は省略する。
【０１４５】
〔実施形態３〕
次に、図１０および図１１に基づいて、本発明の実施形態３について説明する。本実施形態の静電容量タッチキーパネル１ｆにおいては、保護層６３の第１領域Ｒ１の少なくとも表面は、親水化処理が施された親水領域６３ｂである点において、実施形態１および２とは異なる。説明の便宜上、実施形態１および２の図面に示した部材と同じ機能を有する部材については、同じ符号を付し、その説明を省略する。
【０１４６】
図１０は、静電容量タッチキーパネル１ｆの概略構成を示す図である。
【０１４７】
図示されているように、保護層６３は、センス電極３ｃ・３ｃ’とドライブ電極４ｅ・４ｅ’とが絶縁層５を介して、平面視で重なる領域を含む領域上に形成される第１領域Ｒ１と、第１領域Ｒ１間に形成される第２領域Ｒ２とを有する。
【０１４８】
保護層６３の第１領域Ｒ１は、センス電極３ｃ・３ｃ’とドライブ電極４ｅ・４ｅ’とが絶縁層５を介して、平面視で重なる領域以上の大きさを有すればよく、本実施形態においては、保護層６３の第１領域Ｒ１の大きさは、センス電極３ｃ・３ｃ’とドライブ電極４ｅ・４ｅ’とが絶縁層５を介して、平面視で重なる領域の大きさより少し大きくしている。
【０１４９】
本実施形態においては、保護層６３の第１領域Ｒ１の少なくとも表面は、親水化処理が施された親水領域６３ｂである。
【０１５０】
なお、本実施形態においては、保護層６３の第１領域Ｒ１にのみ選択的に親水化処理を行うため、保護層６３の第１領域Ｒ１に該当する部分に開口を有するマスクを用いてプラズマ処理を行ったが、これに限定されることはなく、例えば、ナノインプリント工程を用いて、保護層６３の第１領域Ｒ１の表面にナノサイズの凹凸を設ける親水化処理を行ってもよい。
【０１５１】
図１１は、静電容量タッチキーパネル１ｆのタッチ面６３ａに水滴５０が付着した場合を示す図である。
【０１５２】
図示されているように、センス電極３ｃとドライブ電極４ｅとが平面視において重なる箇所およびセンス電極３ｃ’とドライブ電極４ｅ’とが平面視において重なる箇所のそれぞれの上部には、親水領域６３ｂが形成されているので、保護層６３と接する水滴５０は、保護層６３の第１領域Ｒ１に留まる。
【０１５３】
したがって、静電容量タッチキーパネル１ｆにおいては、センス電極３ｃとドライブ電極４ｅとが平面視において重なる箇所と、センス電極３ｃ’とドライブ電極４ｅ’とが平面視において重なる箇所とに跨って水滴５０が、形成されることはない。
【０１５４】
よって、センス電極３ｃ・３ｃ’およびドライブ電極４ｅ・４ｅ’の形成密度やタッチ面６３ａに付着される水滴５０のサイズに関係なく、精度高く、タッチの検出を行うことができる静電容量タッチキーパネル１ｆ（静電容量タッチパネル）を実現することができる。
【０１５５】
なお、保護層６３は、上述した保護層１０と同一材料であってもよく、保護層としての機能を果たせるのであれば、異なる材料であってもよい。
【０１５６】
なお、本実施形態においては、保護層６３の第１領域Ｒ１にのみ選択的に親水化処理をした場合を例に挙げて説明したが、これに限定されることはなく、保護層６３の第２領域Ｒ２にのみ選択的に親水化処理をしてもよく、詳しくは、実施形態４で説明する方法で、保護層６３の第１領域Ｒ１は親水領域に、保護層６３の第２領域Ｒ２は撥水領域（疎水領域）に形成してもよく、保護層６３の第１領域Ｒ１は撥水領域（疎水領域）に、保護層６３の第２領域Ｒ２は親水領域に形成してもよい。
【０１５７】
また、図示は省略するが、上述した実施形態１における図４、図５および図６に図示するように、静電容量タッチキーパネルにおける保護層の第１領域Ｒ１が、凸形状の凸部で形成されている場合には、保護層の第２領域Ｒ２の少なくとも表面を、親水化処理が施された親水領域とすることで、保護層と接する水滴５０を、より確実に、保護層の第２領域Ｒ２に留まるようにすることができる。
【０１５８】
〔実施形態４〕
次に、図１２および図１３に基づいて、本発明の実施形態４について説明する。本実施形態の静電容量タッチキーパネル１ｇにおいては、保護層６４の第１領域Ｒ１は撥水領域（疎水領域）６４ｂであり、保護層６４の第２領域Ｒ２は親水領域である点において、実施形態１から３とは異なる。説明の便宜上、実施形態１から３の図面に示した部材と同じ機能を有する部材については、同じ符号を付し、その説明を省略する。
【０１５９】
図１２は、静電容量タッチキーパネル１ｇの概略構成を示す図である。
【０１６０】
図示されているように、保護層６４は、センス電極３ｃ・３ｃ’とドライブ電極４ｅ・４ｅ’とが絶縁層５を介して、平面視で重なる領域を含む領域上に形成される第１領域Ｒ１と、第１領域Ｒ１間に形成される第２領域Ｒ２とを有する。
【０１６１】
保護層６４の第１領域Ｒ１は、センス電極３ｃ・３ｃ’とドライブ電極４ｅ・４ｅ’とが絶縁層５を介して、平面視で重なる領域以上の大きさを有すればよく、本実施形態においては、保護層６４の第１領域Ｒ１の大きさは、センス電極３ｃ・３ｃ’とドライブ電極４ｅ・４ｅ’とが絶縁層５を介して、平面視で重なる領域の大きさより少し大きくしている。
【０１６２】
本実施形態においては、保護層６４としては、撥水性（疎水性）の材料を用いており、保護層６４は全体として撥水性（疎水性）を示すが、例えば、ナノインプリント工程を用いて、保護層６４の第２領域Ｒ２にのみナノサイズの凹凸（図示せず）を設ける親水化処理を行い、保護層６４の第１領域Ｒ１は撥水領域（疎水領域）６４ｂに、保護層６４の第２領域Ｒ２は親水領域に形成することができる。
【０１６３】
図１２においては、撥水領域６４ｂが保護層６４のタッチ面６４ａにのみ形成されるように図示しているが、保護層６４において、ナノサイズの凹凸（図示せず）が設けられた第２領域Ｒ２以外は、全て撥水性（疎水性）を示す。
【０１６４】
図１３は、静電容量タッチキーパネル１ｇのタッチ面６４ａに水滴５０が付着した場合を示す図である。
【０１６５】
図示されているように、センス電極３ｃとドライブ電極４ｅとが平面視において重なる箇所およびセンス電極３ｃ’とドライブ電極４ｅ’とが平面視において重なる箇所のそれぞれの上部は、撥水領域６４ｂであるので、保護層６４と接する水滴５０は、保護層６４の第２領域Ｒ２に留まる。
【０１６６】
したがって、静電容量タッチキーパネル１ｇにおいては、センス電極３ｃとドライブ電極４ｅとが平面視において重なる箇所と、センス電極３ｃ’とドライブ電極４ｅ’とが平面視において重なる箇所とに跨って水滴５０が、形成されることはない。
【０１６７】
よって、センス電極３ｃ・３ｃ’およびドライブ電極４ｅ・４ｅ’の形成密度やタッチ面６４ａに付着される水滴５０のサイズに関係なく、精度高く、タッチの検出を行うことができる静電容量タッチキーパネル１ｇ（静電容量タッチパネル）を実現することができる。
【０１６８】
なお、保護層６４は、上述した保護層１０と同一材料であってもよく、保護層としての機能を果たせるのであれば、異なる材料であってもよい。
【０１６９】
なお、本実施形態においては、保護層６４の第１領域Ｒ１は撥水領域（疎水領域）６４ｂで、保護層６４の第２領域Ｒ２は親水領域である場合を例に挙げて説明したが、これに限定されることはなく、保護層６４の第１領域Ｒ１を親水領域に、保護層６４の第２領域Ｒ２を撥水領域（疎水領域）に形成してもよい。
【０１７０】
また、図示は省略するが、上述した実施形態２における図７、図８および図９に図示するように、静電容量タッチキーパネルにおける保護層の第１領域Ｒ１が、凹形状の凹部で形成されている場合には、保護層の第２領域Ｒ２を、撥水領域とすることで、保護層と接する水滴５０を、より確実に、保護層の第１領域Ｒ１に留まるようにすることができる。
【０１７１】
〔実施形態５〕
次に、図１４に基づいて、本発明の実施形態５について説明する。本実施形態の静電容量タッチキーパネル１ｈにおいては、センス電極３ｄおよびドライブ電極４ｆが平面視で重ならないように設けられている点において、実施形態１から４とは異なる。説明の便宜上、実施形態１から４の図面に示した部材と同じ機能を有する部材については、同じ符号を付し、その説明を省略する。
【０１７２】
図１４は、静電容量タッチキーパネル１ｈの概略構成を示す図である。
【０１７３】
図１４に図示されているように静電容量タッチキーパネル１ｈは、複数のセンス電極３ｄと複数のドライブ電極４ｆを備える。センス電極３ｄとドライブ電極４ｆは平面上に並べられ、平面視において互いが重ならない。すなわち、センス電極３ｄとドライブ電極４ｆとは同一平面上に形成されている。なお、センス電極３ｄとドライブ電極４ｆの形状は一例であるので、これらの形状に限定されることはない。
【０１７４】
隣接するセンス電極３ｄとドライブ電極４ｆとの対が図示していない絶縁層を介して、互いに対向している部分において、静電容量６ｉ・６ｊ・６ｋ・６ｌ・６ｍ・６ｎ・６ｏ・６ｐが形成される。
【０１７５】
センス電極３ｄは、センス信号線３ａ・３ｂを介して、図示していないセンス回路に、ドライブ電極４ｆは、ドライブ信号線４ａ・４ｂ・４ｃ・４ｄを介して、図示していないドライブ回路に接続される。
【０１７６】
センス電極３ｄとドライブ電極４ｆの上に設けられる保護層（図示せず）は、平面視において、静電容量６ｉ〜６ｐを形成する互いに隣接するセンス電極３ｄとドライブ電極４ｆの両方を覆う領域を含む領域上に形成される図中点線で示す第１領域Ｒ１と、第１領域Ｒ１間に形成されるＲ２とを有する。
【０１７７】
保護層の第１領域Ｒ１は、平面視において、互いに隣接するセンス電極３ｄとドライブ電極４ｆの両方を覆う領域以上の大きさを有すればよく、本実施形態においては、図示されているように、保護層の第１領域Ｒ１の大きさは、平面視において、互いに隣接するセンス電極３ｄとドライブ電極４ｆの両方を覆う領域の大きさより少し大きくしている。
【０１７８】
本実施形態においては、保護層の第１領域Ｒ１は凸形状の凸部で形成しており、保護層の第２領域Ｒ２は平坦に形成しており、保護層の第１領域Ｒ１と第２領域Ｒ２とを合わせた領域の表面がタッチ面を形成している。
【０１７９】
タッチ面に水滴が付着した場合における接触の判定の原理は、実施形態１と同様である。
【０１８０】
本実施形態では、保護層の第１領域Ｒ１に凸部を設けたが、これに限定されず、上述した実施形態１から実施形態４に基づいて、これらを適宜組み合わせて、保護層の第１領域Ｒ１および第２領域Ｒ２を形成することができるのは言うまでもない。この何れの場合においても、それぞれの実施形態に対応した動作原理で、センス電極３ｄおよびドライブ電極４ｆの形成密度やタッチ面に付着される水滴のサイズに関係なく、精度高く、タッチの検出を行うことができる静電容量タッチキーパネル１ｈ（静電容量タッチパネル）を実現することができる。
【０１８１】
〔まとめ〕
本発明の態様１に係る静電容量タッチパネルは、基板と、上記基板上に設けられた複数の駆動電極および複数の検出電極と、上記駆動電極と上記検出電極との間に設けられた絶縁層と、を備えた静電容量タッチパネルであって、上記駆動電極および上記検出電極より上層に設けられた保護層は、上記駆動電極と上記検出電極とが平面視で重なる領域を含む領域上または、同一平面上の隣接する上記駆動電極および上記検出電極の対と上記駆動電極および上記検出電極間の絶縁層を含む領域上に形成される複数の第１領域と、上記複数の第１領域間に形成される複数の第２領域とを備えており、上記保護層は、上記保護層と接する液滴が上記第１領域および上記第２領域の何れか一方に留まるように設けられていることを特徴としている。
【０１８２】
上記構成によれば、上記保護層と接する液滴は、上記保護層の上記第１領域および上記第２領域の何れか一方に留まるので、上記保護層と接する液滴のサイズが大きい場合でも、液滴が上記保護層の複数の第１領域間に跨って存在することはない。
【０１８３】
また、上記構成によれば、上記保護層と接する液滴が、上記保護層の複数の第１領域間に跨って存在することがないので、液滴の存在する位置を検出する必要がないので、上記駆動電極および上記検出電極が所定の密度以上で形成される必要もない。
【０１８４】
したがって、検出電極および駆動電極の形成密度やタッチ面に付着される液滴のサイズに関係なく、精度高く、タッチの検出を行うことができる静電容量タッチパネルを実現することができる。
【０１８５】
本発明の態様２に係る静電容量タッチパネルは、上記態様１において、上記第１領域および上記第２領域の何れか一方は、凹形状または凸形状に設けられていることが好ましい。
【０１８６】
上記構成によれば、上記保護層の上記第１領域および上記第２領域の何れか一方を、凹形状または凸形状に形成することで、検出電極および駆動電極の形成密度やタッチ面に付着される液滴のサイズに関係なく、精度高く、タッチの検出を行うことができる静電容量タッチパネルを実現することができる。
【０１８７】
本発明の態様３に係る静電容量タッチパネルは、上記態様１において、上記第１領域および上記第２領域の何れか一方の少なくとも表面は、親水領域または撥水領域であることが好ましい。
【０１８８】
上記構成によれば、上記保護層の上記第１領域および上記第２領域の何れか一方の少なくとも表面を、親水領域または撥水領域とすることで、検出電極および駆動電極の形成密度やタッチ面に付着される液滴のサイズに関係なく、精度高く、タッチの検出を行うことができる静電容量タッチパネルを実現することができる。
【０１８９】
本発明の態様４に係る静電容量タッチパネルは、上記態様１において、上記第１領域は、凹形状に設けられており、上記第２領域の少なくとも表面は、撥水領域であることが好ましい。
【０１９０】
上記構成によれば、上記保護層と接する液滴を、より確実に、上記保護層の第１領域に留まるようにすることができる。
【０１９１】
本発明の態様５に係る静電容量タッチパネルは、上記態様１において、上記第１領域は、凸形状に設けられており、上記第２領域の少なくとも表面は、親水領域であることが好ましい。
【０１９２】
上記構成によれば、上記保護層と接する液滴を、より確実に、上記保護層の第２領域に留まるようにすることができる。
【０１９３】
本発明の態様６に係る静電容量タッチパネル装置は、上記態様１から５の何れかに記載の静電容量タッチパネルと、上記複数の駆動電極に駆動信号を供給する駆動回路と、上記複数の検出電極を介して、上記駆動信号の変化を読み出す検出回路と、を備えていることが好ましい。
【０１９４】
上記構成によれば、検出電極および駆動電極の形成密度やタッチ面に付着される液滴のサイズに関係なく、精度高く、タッチの検出を行うことができる静電容量タッチパネル装置を実現することができる。
【０１９５】
本発明の態様７に係る静電容量タッチパネル装置は、上記態様６において、上記複数の検出電極は、第１検出信号線に属する電極と、第２検出信号線に属する電極とで構成されており、上記検出回路においては、上記第１検出信号線および上記第２検出信号線の一方を介して得られた上記駆動信号と、他方を介して得られた上記駆動信号との差を検出することが好ましい。
【０１９６】
上記構成によれば、さらに、精度高く、タッチの検出を行うことができる静電容量タッチパネル装置を実現することができる。
【０１９７】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１９８】
本発明は、静電容量タッチパネルと、静電容量タッチパネル装置とに利用することができる。
【符号の説明】
【０１９９】
１            静電容量タッチキーパネル（静電容量タッチパネル）
１ａ          静電容量タッチキーパネル（静電容量タッチパネル）
１ｂ          静電容量タッチキーパネル（静電容量タッチパネル）
１ｃ          静電容量タッチキーパネル（静電容量タッチパネル）
１ｄ          静電容量タッチキーパネル（静電容量タッチパネル）
１ｅ          静電容量タッチキーパネル（静電容量タッチパネル）
１ｆ          静電容量タッチキーパネル（静電容量タッチパネル）
１ｇ          静電容量タッチキーパネル（静電容量タッチパネル）
１ｈ          静電容量タッチキーパネル（静電容量タッチパネル）
２            基板
３ａ          センス信号線１（第１検出信号線）
３ｂ          センス信号線２（第２検出信号線）
３ｃ          センス電極（検出電極）
３ｃ’        センス電極（検出電極）
３ｄ          センス電極（検出電極）
４ａ          ドライブ信号線１
４ｂ          ドライブ信号線２
４ｃ          ドライブ信号線３
４ｄ          ドライブ信号線４
４ｅ          ドライブ電極（駆動電極）
４ｅ’        ドライブ電極（駆動電極）
４ｆ          ドライブ電極（駆動電極）
５            絶縁層
６ａ〜６ｈ    静電容量
６ｉ〜６ｐ    静電容量
１０          保護層
１０ａ        タッチ面
１０ｂ        凸部
１１          保護層
１１ａ        タッチ面
１１ｂ        凸部
１２          保護層
１２ａ        タッチ面
１２ｂ        凸部
２０          センス回路（検出回路）
２１          アンプ
２２          ＡＤコンバータ
２３          コンデンサ
２４          コンデンサ
３０          ドライブ回路（駆動回路）
４０          静電容量タッチキー装置（静電容量タッチパネル装置）
５０          水滴（液滴）
５１          指
６０          保護層
６０ａ        タッチ面
６０ｂ        凹部
６１          保護層
６１ａ        タッチ面
６１ｂ        凹部
６２          保護層
６２ａ        タッチ面
６２ｂ        凹部
６３          保護層
６３ａ        タッチ面
６３ｂ        親水領域
６４          保護層
６４ａ        タッチ面
６４ｂ        撥水領域
Ｒ１          第１領域
Ｒ２          第２領域
【図１】
0006679301.tif 000002
【図２】
0006679301.tif 000003
【図３】
0006679301.tif 000004
【図４】
0006679301.tif 000005
【図５】
0006679301.tif 000006
【図６】
0006679301.tif 000007
【図７】
0006679301.tif 000008
【図８】
0006679301.tif 000009
【図９】
0006679301.tif 000010
【図１０】
0006679301.tif 000011
【図１１】
0006679301.tif 000012
【図１２】
0006679301.tif 000013
【図１３】
0006679301.tif 000014
【図１４】
0006679301.tif 000015
【図１５】
0006679301.tif 000016
【図１６】
0006679301.tif 000017
【図１７】
0006679301.tif 000018
【図１８】
0006679301.tif 000019
【図１９】
0006679301.tif 000020
【図２０】
0006679301.tif 000021
【図２１】
0006679301.tif 000022